(57)【要約】【課題】目の不自由な人や火災等で建築物の内部に煙が充満して視界が確保できない人でも手摺り等の方向表示部に辿り着けば避難方向を容易に確認し得るようにするとともに、通常時も、一方通行の通路や道路の通行方向等を容易に確認し得るようにすることにある。【解決手段】手摺り１、壁面、床面、幅木または路面の表面に設けられて方向を示す、その示す方向および逆方向に対し非対称の凸形状部１ａもしくは凹形状部を具えてなる、方向表示構造である。【選択図】図１
2007239298.tif 000002
【特許請求の範囲】
【請求項１】
手摺り、壁面、床面、幅木または路面の表面に設けられて方向を示す、その示す方向および逆方向に対し非対称の凸形状部もしくは凹形状部を具えてなる、方向表示構造。
【請求項２】
前記凸形状部もしくは凹形状部は、前記表面に連続的または断続的に多数繰り返し設けられていることを特徴とする、請求項１記載の方向表示構造。
【請求項３】
前記前記凸形状部もしくは凹形状部は、前記表面と一体的に形成されていることを特徴とする、請求項１または２記載の方向表示構造。
【請求項４】
前記前記凸形状部もしくは凹形状部は、前記表面と別体に形成されてその表面に固定されていることを特徴とする、請求項１または２記載の方向表示構造。
【請求項５】
前記凸形状部もしくは凹形状部は、避難方向を示すものであることを特徴とする、請求項１から４までの何れか記載の方向表示構造。
【発明の詳細な説明】
【技術分野】
【０００１】
この発明は、公共の建物等の手摺り、壁面、床面、幅木（壁面と床面とにまたがって設けられて壁面と床面との境目を隠す部材）または路面に設けられて方向を表示する方向表示構造に関するものである。
【背景技術】
【０００２】
従来の方向表示物としては、照明器具等を付設されて壁面に設けられる避難方向表示物が良く知られている(非特許文献１参照)。
【非特許文献１】http://www.orikomi.org/orisuma/kiotukete/t_bousai.html（「壁の下の方にある表示板」
【発明の開示】
【発明が解決しようとする課題】
【０００３】
しかしながら、かかる従来の表示物は、目の不自由な人には確認できないものであり、また火災等で建築物の内部に煙が充満したりすると、目の不自由な人でなくても確認困難になるという問題があった。
【課題を解決するための手段】
【０００４】
この発明は、上記課題を有利に解決することを目的とするものであり、この発明の方向表示構造は、手摺り、壁面、床面、幅木または路面の表面に設けられて方向を示す、その示す方向および逆方向に対し非対称の凸形状部もしくは凹形状部を具えてなるものである。
【発明の効果】
【０００５】
かかるこの発明の方向表示構造によれば、手摺り、壁面、床面、幅木または路面の表面に、方向を示す、その示す方向および逆方向に対し非対称の凸形状部もしくは凹形状部が設けられているので、目の不自由な人や、火災等で建築物の内部に煙が充満して視界が確保できない人でも、手探りで手摺り、壁面、床面、幅木または路面のその凸形状部もしくは凹形状部に辿り着いて、その示す方向および逆方向に対し非対称の凸形状部もしくは凹形状部を手で触ることで、避難方向を容易に確認することができる。また通常時も、手摺り、壁面、床面、幅木または路面のその凸形状部もしくは凹形状部に触ることで、一方通行の通路や道路の通行方向等を容易に確認することができる。
【０００６】
なお、この発明においては、前記凸形状部もしくは凹形状部は、前記表面に連続的または断続的に多数繰り返し設けられていても良く、このようにすれば、手摺り等のどの部分に触れても方向を容易に確認することができる。
【０００７】
また、この発明においては、前記凸形状部もしくは凹形状部は、前記表面と一体的に形成されていても良く、このようにすれば、手摺り等への凸形状部もしくは凹形状部の取り付けの手間を省くことができるとともに、災害時の熱や外力等による手摺りからの凸形状部もしくは凹形状部の脱落のおそれをなくすことができる。
【０００８】
一方、この発明においては、前記凸形状部もしくは凹形状部は、前記表面と別体に形成されて、その手摺りの表面に固定されていても良く、このようにすれば、凸形状部もしくは凹形状部を安価に製造し得るとともに、既存の手摺り等にも凸形状部もしくは凹形状部を設けて、前述したこの発明の作用効果を奏することができる。
【発明を実施するための最良の形態】
【０００９】
以下、本発明の実施の形態を実施例によって、図面に基づき詳細に説明する。ここに、図１（ａ），（ｂ）は、この発明の方向表示構造の第１実施例としての避難方向表示構造を示す正面図および側面図であり、図中符号１はその実施例の避難方向表示構造を具える手摺り、２はその手摺り１を支持するブラケットをそれぞれ示す。
【００１０】
この第１実施例の避難方向表示構造は、手摺り１の表面に設けられて避難方向を示す、その避難方向およびそれと逆方向に延在する手摺り１の延在方向に対し非対称の凸形状部１ａを具えてなるものであり、具体的にはこの実施例では、手摺り１は多数の手摺り部品１ｂが結合されて構成されており、ここにおける各手摺り部品１ｂは全体的に略裁頭円錐状をなし、その細径側の端部に半球状凸部１ｃを有するとともにその太径側の端部に半球状凹部１ｄを有していて、隣り合う手摺り部品１ｂ同士の半球状凸部１ｃと半球状凹部１ｄとを嵌め合わせてそれらの間を、手摺り部品１ｂを例えば木や合成樹脂等で形成する場合は例えば接着剤等で、また手摺り部品１ｂを例えば金属で形成する場合は例えば抵抗溶接等で接合することで、多数の手摺り部品１ｂを全体的に直線状にも曲線状にも結合することができる。
【００１１】
そしてその細径側の端部に対する太径側の端部の直径の差により、この実施例では手摺り１の延在方向（図１（ａ）では左右方向）に対し非対称の凸形状部１ａが形成されており、ブラケット２は、互いに適当な間隔を空けて複数配置されて壁面Ｗ等に固定されるとともに、手摺り受け面２ａに上記手摺り１の下面を固定されて、手摺り１を壁面Ｗから適宜離間させて支持している。
【００１２】
図２（ａ），（ｂ）は、この発明の方向表示構造の第２実施例としての避難方向表示構造を示す正面図および側面図であり、図中符号１１はその実施例の避難方向表示構造を具える手摺りを示し、２は先の実施例と同様、その手摺り１１を支持するブラケットを示す。
【００１３】
この第２実施例の避難方向表示構造は、手摺り１１の表面に設けられて避難方向を示す、その手摺り１１の延在方向に対し非対称のうろこ文様状の多数の凸形状部１１ａを具えてなるものであり、具体的にはこの実施例では、手摺り１１は例えば木や合成樹脂や金属等からなる丸棒状の素材の表面に転造加工や型成形等によって、各々左端よりも右端の方が浮き出たうろこ状をなす多数の凸形状部１１ａを形成されて構成されている。
【００１４】
そしてその左端よりも右端の方が浮き出たうろこ状の形状により、この実施例では手摺り１１の延在方向（図２（ａ）では左右方向）に対し非対称の凸形状部１１ａが形成されており、ブラケット２は、互いに適当な間隔を空けて複数配置されて壁面Ｗ等に固定されるとともに、手摺り受け面２ａに上記手摺り１１の下面を固定されて、手摺り１１を壁面Ｗから適宜離間させて支持している。
【００１５】
図３（ａ），（ｂ）は、この発明の方向表示構造の第３実施例としての避難方向表示構造を示す正面図および側面図であり、図中符号２１はその実施例の避難方向表示構造を具える手摺りを示し、２は先の実施例と同様、その手摺り２１を支持するブラケットを示す。
【００１６】
この第３実施例の避難方向表示構造は、手摺り２１の表面に設けられて避難方向を示す、その手摺り２１の延在方向に対し非対称の樹皮文様状の多数の凸形状部２１ａを具えてなるものであり、具体的にはこの実施例では、手摺り２１は例えば木や合成樹脂や金属等からなる丸棒状の素材の表面に転造加工や型成形等によって、各々左端よりも右端の方が浮き出た樹皮状をなす多数の凸形状部２１ａを形成されて構成されている。
【００１７】
そしてその左端よりも右端の方が浮き出た樹皮状の形状により、この実施例では手摺り２１の延在方向（図３（ａ）では左右方向）に対し非対称の凸形状部２１ａが形成されており、ブラケット２は、互いに適当な間隔を空けて複数配置されて壁面Ｗ等に固定されるとともに、手摺り受け面２ａに上記手摺り２１の下面を固定されて、手摺り２１を壁面Ｗから適宜離間させて支持している。
【００１８】
これら第１〜第３実施例の避難方向表示構造によれば、手摺り１，１１および２１の表面に、避難方向を示す、その手摺りの延在方向に対し非対称の凸形状部１ａ，１１ａおよび２１ａが設それぞれ設けられているので、目の不自由な人や、火災等で建築物の内部に煙が充満して視界が確保できない人でも、手探りで手摺り１，１１または２１に辿り着いて、その手摺りの延在方向に対し非対称の凸形状部１ａ，１１ａまたは２１ａを手で触ることで、避難方向を容易に確認することができる。
【００１９】
また、これら第１〜第３実施例の避難方向表示構造によれば、凸形状部１ａ，１１ａおよび２１ａは、手摺り１，１１および２１の表面に連続的に多数繰り返し設けられていているので、延在する手摺り１，１１および２１のどの部分に触れても避難方向を容易に確認することができる。
【００２０】
さらに、これら第１〜第３実施例の避難方向表示構造によれば、凸形状部１ａ，１１ａおよび２１ａは、手摺り１，１１および２１の表面と一体的に形成されているので、手摺り１，１１および２１への凸形状部１ａ，１１ａおよび２１ａの取り付けの手間を省くことができるとともに、災害時の熱や外力等による手摺り１，１１および２１からの凸形状部１ａ，１１ａおよび２１ａの脱落のおそれをなくすことができる。
【００２１】
図４（ａ），（ｂ）は、この発明の方向表示構造の第４実施例としての避難方向表示構造における凸形状部を示す平面図および正面図であり、図中符号３１はその実施例の避難方向表示構造を構成する凸形状部材を示す。
【００２２】
この第４実施例の避難方向表示構造は、図示しない手摺りの表面に設けられて避難方向を示す、その手摺りの延在方向に対し非対称の多数の凸形状部３１ａを具えてなるものであり、具体的にはこの第４実施例の避難方向表示構造の凸形状部３１ａは、帯状の凸形状部材３１によって形成され、その凸形状部材３１は、多数の楔状片３１ｂが例えば接着剤等によって一体的に結合されて形成されたもので、ここにおける各楔状片３１ｂは、左端が薄く右端が厚い楔状をなすとともに、その厚い右端が楔状片３１ｂの長手方向に直交する直線状に終わっており、その厚い右端の下面に、隣接する楔状片３１ｂの薄い左端と嵌まり合って裏面を面一（平坦）にする凹部３１ｃを形成されている。
【００２３】
上記凸形状部材３１は、その凸形状部材３１と別体に形成された図示しない丸棒状あるいは角棒状の手摺りの表面にその手摺りの延在方向に沿って、例えば接着剤による貼り付け等によって固着され、その凸形状部材３１の各楔状片３１ｂの、左端よりも右端の方が浮き出た鋸刃型の形状により、この実施例では図示しない手摺りの延在方向（図４（ａ）では左右方向）に対し非対称の凸形状部３１ａが形成されており、その手摺りは、例えば先の実施例と同様、互いに適当な間隔を空けて複数配置されて壁面Ｗ等に固定されたブラケット２により、壁面Ｗから適宜離間させて支持される。
【００２４】
図５（ａ），（ｂ）は、この発明の方向表示構造の第５実施例としての避難方向表示構造における凸形状部を示す平面図および正面図であり、図中符号４１はその実施例の避難方向表示構造を構成する凸形状部材を示す。
【００２５】
この第５実施例の避難方向表示構造は、図示しない手摺りの表面に設けられて避難方向を示す、その手摺りの延在方向に対し非対称の多数の凸形状部４１ａを具えてなるものであり、具体的にはこの第５実施例の避難方向表示構造の凸形状部４１ａは、先の第４実施例と同様、帯状の凸形状部材４１によって形成され、その凸形状部材４１は、多数の楔状片４１ｂが例えば接着剤等によって一体的に結合されて形成されたもので、各楔状片４１ｂは、左端が薄く右端が厚い楔状をなすものの、先の第４実施例における楔状片３１ｂと異なり、その厚い右端が楔状片４１ｂの長手方向に直交する直線状でなく、くの字状に終わっており、その厚い右端の下面に、隣接する楔状片４１ｂの薄い左端と嵌まり合って裏面を面一（平坦）にする凹部４１ｃを形成されている。
【００２６】
上記凸形状部材４１も先の第４実施例と同様、その凸形状部材４１と別体に形成された図示しない丸棒状あるいは角棒状の手摺りの表面にその手摺りの延在方向に沿って、例えば接着剤による貼り付け等によって固着され、その凸形状部材４１の各楔状片４１ｂの、左端よりも右端の方が浮き出た鋸刃型の形状により、この実施例では図示しない手摺りの延在方向（図５（ａ）では左右方向）に対し非対称の凸形状部４１ａが形成されており、その手摺りは、例えば先の実施例と同様、互いに適当な間隔を空けて複数配置されて壁面Ｗ等に固定されたブラケット２により、壁面Ｗから適宜離間させて支持される。
【００２７】
図６（ａ），（ｂ）は、この発明の方向表示構造の第６実施例としての避難方向表示構造における凸形状部を示す平面図および正面図であり、図中符号５１はその実施例の避難方向表示構造を構成する凸形状部材を示す。
【００２８】
この第６実施例の避難方向表示構造は、図示しない手摺りの表面に設けられて避難方向を示す、その手摺りの延在方向に対し非対称の多数の凸形状部５１ａを具えてなるものであり、具体的にはこの第６実施例の避難方向表示構造の凸形状部５１ａは、先の第４実施例と同様、帯状の凸形状部材５１によって形成され、その凸形状部材５１は、多数の楔状片５１ｂが例えば接着剤等によって一体的に結合されて形成されたもので、各楔状片５１ｂは、左端が薄く右端が厚い楔状をなすものの、先の第４実施例における楔状片３１ｂと異なり、その厚い右端が楔状片５１ｂの長手方向に直交する直線状でなく、矢印状に終わっており、その厚い右端の下面に、隣接する楔状片５１ｂの薄い左端と嵌まり合って裏面を面一（平坦）にする凹部５１ｃを形成されている。
【００２９】
上記凸形状部材５１も先の第４実施例と同様、その凸形状部材５１と別体に形成された図示しない丸棒状あるいは角棒状の手摺りの表面にその手摺りの延在方向に沿って、例えば接着剤による貼り付け等によって固着され、その凸形状部材５１の各楔状片５１ｂの、左端よりも右端の方が浮き出た鋸刃型の形状により、この実施例では図示しない手摺りの延在方向（図６（ａ）では左右方向）に対し非対称の凸形状部５１ａが形成されており、その手摺りは、例えば先の実施例と同様、互いに適当な間隔を空けて複数配置されて壁面Ｗ等に固定されたブラケット２により、壁面Ｗから適宜離間させて支持される。
【００３０】
図７（ａ），（ｂ）は、この発明の方向表示構造の第７実施例としての避難方向表示構造における凸形状部を示す平面図および正面図であり、図中符号６１はその実施例の避難方向表示構造を構成する凸形状部材を示す。
【００３１】
この第７実施例の避難方向表示構造は、図示しない手摺りの表面に設けられて避難方向を示す、その手摺りの延在方向に対し非対称の多数の凸形状部６１ａを具えてなるものであり、具体的にはこの第７実施例の避難方向表示構造の凸形状部６１ａは、先の第４実施例と同様、帯状の凸形状部材６１によって形成され、その凸形状部材６１は、多数の楔状片６１ｂが例えば接着剤等によって一体的に結合されて形成されたもので、各楔状片６１ｂは、左端が薄く右端が厚い楔状をなすものの、先の第４実施例における楔状片３１ｂと異なり、その厚い右端が楔状片６１ｂの長手方向に直交する直線状でなく、凸円弧状に終わっており、その厚い右端の下面に、隣接する楔状片６１ｂの薄い左端と嵌まり合って裏面を面一（平坦）にする凹部６１ｃを形成されている。
【００３２】
上記凸形状部材６１も先の第４実施例と同様、その凸形状部材６１と別体に形成された図示しない丸棒状あるいは角棒状の手摺りの表面にその手摺りの延在方向に沿って、例えば接着剤による貼り付け等によって固着され、その凸形状部材６１の各楔状片６１ｂの、左端よりも右端の方が浮き出た鋸刃型の形状により、この実施例では図示しない手摺りの延在方向（図７（ａ）では左右方向）に対し非対称の凸形状部６１ａが形成されており、その手摺りは、例えば先の実施例と同様、互いに適当な間隔を空けて複数配置されて壁面Ｗ等に固定されたブラケット２により、壁面Ｗから適宜離間させて支持される。
【００３３】
図８（ａ），（ｂ）は、この発明の方向表示構造の第８実施例としての避難方向表示構造における凸形状部を示す平面図および正面図であり、図中符号７１はその実施例の避難方向表示構造を構成する凸形状部材を示す。
【００３４】
この第８実施例の避難方向表示構造は、図示しない手摺りの表面に設けられて避難方向を示す、その手摺りの延在方向に対し非対称の多数の凸形状部７１ａを具えてなるものであり、具体的にはこの第８実施例の避難方向表示構造の凸形状部７１ａは、先の第４実施例と同様、帯状の凸形状部材７１によって形成されるもの、その凸形状部材７１は、多数の楔状片が一体的に結合されて形成されたものでなく元々帯状をなし、各凸形状部７１ａはその凸形状部材７１に、左端が薄く右端が厚い楔状をなすように例えば転造加工や型成形等によって形成されて、先の第４実施例における楔状片３１ｂと同様、その厚い右端が凸形状部７１ａの長手方向に直交する直線状に終わっている。
【００３５】
上記凸形状部材７１も先の第４実施例と同様、その凸形状部材７１と別体に形成された図示しない丸棒状あるいは角棒状の手摺りの表面にその手摺りの延在方向に沿って、例えば接着剤による貼り付け等によって固着され、その凸形状部材７１の表面の各凸形状部６１ａの、左端よりも右端の方が浮き出た鋸刃型の形状が、この実施例では図示しない手摺りの延在方向（図８（ａ）では左右方向）に対し非対称の凸形状となっており、その手摺りは、例えば先の実施例と同様、互いに適当な間隔を空けて複数配置されて壁面Ｗ等に固定されたブラケット２により、壁面Ｗから適宜離間させて支持される。
【００３６】
図９（ａ），（ｂ）は、この発明の方向表示構造の第９実施例としての避難方向表示構造における凸形状部を示す平面図および正面図であり、図中符号８１はその実施例の避難方向表示構造を構成する凸形状部材を示す。
【００３７】
この第９実施例の避難方向表示構造は、図示しない手摺りの表面に設けられて避難方向を示す、その手摺りの延在方向に対し非対称の多数の凸形状部８１ａを具えてなるものであり、具体的にはこの第９実施例の避難方向表示構造の凸形状部８１ａは、多数の凸形状部材８１によって形成されるもの、その凸形状部材８１は互いに独立しており、各凸形状部財８１は、左端が薄く右端が厚い楔状をなすように例えば転造加工や型成形等によって形成されて、先の第６実施例における楔状片５１ｂと同様、その厚い右端が矢印状に終わっている。
【００３８】
上記多数の凸形状部材８１も先の第４実施例と同様、それらの凸形状部材８１と別体に形成された図示しない丸棒状あるいは角棒状の手摺りの表面にその手摺りの延在方向に沿って並べられて、例えば接着剤による貼り付け等によって固着され、それらの凸形状部材８１の表面の、左端よりも右端の方が浮き出た鋸刃型の形状が、この実施例では図示しない手摺りの延在方向（図９（ａ）では左右方向）に対し非対称の凸形状部８１ａとなっており、その手摺りは、例えば先の実施例と同様、互いに適当な間隔を空けて複数配置されて壁面Ｗ等に固定されたブラケット２により、壁面Ｗから適宜離間させて支持される。
【００３９】
これら第４〜第９実施例の避難方向表示構造によれば、手摺りの表面に、避難方向を示す、その手摺りの延在方向に対し非対称の凸形状部３１ａ，４１ａ，５１ａ，６１ａ，７１ａおよび８１ａが設それぞれ設けられているので、目の不自由な人や、火災等で建築物の内部に煙が充満して視界が確保できない人でも、手探りで手摺りに辿り着いて、その手摺りの延在方向に対し非対称の凸形状部３１ａ，４１ａ，５１ａ，６１ａ，７１ａおよび８１ａを手で触ることで、避難方向を容易に確認することができる。
【００４０】
また、これら第４〜第９実施例の避難方向表示構造によれば、凸形状部３１ａ，４１ａ，５１ａ，６１ａおよび７１ａは手摺りの表面に連続的に、また凸形状部８１ａは手摺りの表面に断続的に、多数繰り返し設けられていているので、延在する手摺りのどの部分に触れても避難方向を容易に確認することができる。
【００４１】
さらに、これら第４〜第９実施例の避難方向表示構造によれば、凸形状部３１ａ，４１ａ，５１ａ，６１ａ，７１ａおよび８１ａは、手摺りの表面と別体に帯状（テープ状）に形成されて、その手摺りの表面に固定されているので、凸形状部３１ａ，４１ａ，５１ａ，６１ａ，７１ａおよび８１ａを手摺りと別に安価に製造し得るとともに、既存の手摺りにも凸形状部３１ａ，４１ａ，５１ａ，６１ａ，７１ａもしくは８１ａを設けて、上述したこの発明の作用効果を奏することができる。
【００４２】
以上、図示例に基づき説明したが、この発明は上述の例に限定されるものでなく、例えば、手摺りに凸形状部１ａ，１１ａ，２１ａ，３１ａ，４１ａ，５１ａ，６１ａ，７１ａおよび８１ａの代わりに、その手摺りと一体または別体に形成した、その手摺りの延在方向に対し非対称の凹形状部を設けても良く、その場合に、例えば手摺りにその長手方向に設けた溝内に、その手摺りと別体でその溝の深さより薄い、上記第４〜第９実施例の避難方向表示構造の帯状（テープ状）の凸形状部材３１，４１，５１，６１，７１または８１を埋め込むことで、凹形状部を形成しても良い。
【００４３】
さらに、この発明の方向表示構造は、手摺りでなく壁面や床面や幅木や路面に設けても良い。そしてこの発明の方向表示構造は、避難方向の表示に限定されず、例えば一方通行の通路や道路の通行方向等の表示にも用いることができる。
【産業上の利用可能性】
【００４４】
かくしてこの発明の方向表示構造によれば、手摺り、壁面、床面、幅木または路面の表面に、方向を示す、その示す方向および逆方向に対し非対称の凸形状部もしくは凹形状部が設けられているので、目の不自由な人や、火災等で建築物の内部に煙が充満して視界が確保できない人でも、手探りで手摺り、壁面、床面、幅木または路面のその凸形状部もしくは凹形状部に辿り着いて、その示す方向および逆方向に対し非対称の凸形状部もしくは凹形状部を手で触ることで、避難方向を容易に確認することができる。また通常時も、手摺り、壁面、床面、幅木または路面のその凸形状部もしくは凹形状部に触ることで、一方通行の通路や道路の通行方向等を容易に確認することができる。
【図面の簡単な説明】
【００４５】
【図１】（ａ），（ｂ）は、この発明の避難方向表示構造の第１実施例を示す正面図および側面図である。
【図２】（ａ），（ｂ）は、この発明の避難方向表示構造の第２実施例を示す正面図および側面図である。
【図３】（ａ），（ｂ）は、この発明の避難方向表示構造の第３実施例を示す正面図および側面図である。
【図４】（ａ），（ｂ）は、この発明の避難方向表示構造の第４実施例における凸形状部を示す平面図および正面図である。
【図５】（ａ），（ｂ）は、この発明の避難方向表示構造の第５実施例における凸形状部を示す平面図および正面図である。
【図６】（ａ），（ｂ）は、この発明の避難方向表示構造の第６実施例における凸形状部を示す平面図および正面図である。
【図７】（ａ），（ｂ）は、この発明の避難方向表示構造の第７実施例における凸形状部を示す平面図および正面図である。
【図８】（ａ），（ｂ）は、この発明の避難方向表示構造の第８実施例における凸形状部を示す平面図および正面図である。
【図９】（ａ），（ｂ）は、この発明の避難方向表示構造の第９実施例における凸形状部を示す平面図および正面図である。
【符号の説明】
【００４６】
１，１１，２１  手摺り
１ａ，１１ａ，２１ａ，３１ａ，４１ａ，５１ａ，６１ａ，７１ａ，８１ａ  凸形状部
１ｂ  手摺り部品
１ｃ  半球状凸部
１ｄ  半球状凹部
２  ブラケット
２ａ  手摺り受け面
３１，４１，５１，６１，７１，８１  凸形状部材
３１ｂ，４１ｂ，５１ｂ，６１ｂ  楔状片
３１ｃ，４１ｃ，５１ｃ，６１ｃ  凹部
【図１】
2007239298.tif 000003
【図２】
2007239298.tif 000004
【図３】
2007239298.tif 000005
【図４】
2007239298.tif 000006
【図５】
2007239298.tif 000007
【図６】
2007239298.tif 000008
【図７】
2007239298.tif 000009
【図８】
2007239298.tif 000010
【図９】
2007239298.tif 000011